【手続補正書】
【提出日】平成23年4月11日(2011.4.11)
【手続補正１】
【補正対象書類名】特許請求の範囲
【補正対象項目名】全文
【補正方法】変更
【補正の内容】
【特許請求の範囲】
【請求項１】
画像記録部と画像再生部とが有線又は無線を介して接続されてなる画像処理装置であって、
前記画像記録部は、コンテンツを複数の符号化条件で符号化した複数の符号化データを蓄積する符号化データ蓄積手段と、該符号化データ蓄積手段に蓄積された複数の符号化データに関する関連情報をコンテンツ毎に蓄積する関連情報蓄積手段とを備え、
前記画像再生部は、前記関連情報蓄積手段からコンテンツ毎の関連情報を取得する再生制御手段を備え、
該再生制御手段は、前記関連情報蓄積手段から取得した関連情報に基づいて選択されたコンテンツの符号化データを前記符号化データ蓄積手段から取得し、該取得した符号化データを再生、あるいは、ネットワークに送出することを特徴とする画像処理装置。
【請求項２】
画像記録部と画像再生部とが有線又は無線を介して接続されてなる画像処理装置であって、
前記画像記録部は、コンテンツを複数の符号化条件で符号化した複数の符号化データを蓄積する符号化データ蓄積手段と、該符号化データ蓄積手段に蓄積された複数の符号化データをコンテンツ毎に管理するためのコンテンツリストとを備え、
前記画像再生部は、前記画像記録部から前記コンテンツリストを取得する再生制御手段と、該取得したコンテンツリストに基づいて、コンテンツ毎に複数の符号化データに関する関連情報を蓄積する関連情報蓄積手段とを備え、
前記再生制御手段は、前記関連情報蓄積手段に蓄積された関連情報に基づいて選択されたコンテンツの符号化データを前記符号化データ蓄積手段から取得し、該取得した符号化データを再生、あるいは、ネットワークに送出することを特徴とする画像処理装置。
【請求項３】
請求項１又は２に記載の画像処理装置において、前記再生制御手段は、前記関連情報蓄積手段に蓄積された関連情報をコンテンツ毎にユーザに提示し、該提示したコンテンツ毎の関連情報に基づいて、前記コンテンツの符号化データをユーザに選択させることを特徴とする画像処理装置。
【請求項４】
請求項１〜３のいずれか１項に記載の画像処理装置において、前記関連情報は、前記複数の符号化データに共通の再生停止位置情報を含むことを特徴とする画像処理装置。
【請求項５】
請求項４に記載の画像処理装置において、前記画像再生部で再生中の符号化データの再生をユーザが停止した際に、前記関連情報蓄積手段に前記符号化データの再生停止位置情報が蓄積されていない場合、ユーザが再生停止させたときの再生停止位置情報を前記関連情報蓄積手段に蓄積し、また、前記関連情報蓄積手段に前記符号化データの再生停止位置情報が蓄積されている場合、ユーザが再生停止させたときの再生停止位置情報により、前記関連情報蓄積手段に蓄積されている再生停止位置情報を更新することを特徴とする画像処理装置。
【請求項６】
請求項４又は５に記載の画像処理装置において、前記選択された符号化データに対応する再生停止位置情報が前記関連情報蓄積手段に蓄積されている場合、前記再生制御手段は、前記符号化データ蓄積手段から符号化データを取得すると共に、前記関連情報蓄積手段から前記符号化データの再生停止位置情報を取得することを特徴とする画像処理装置。
【請求項７】
コンテンツを複数の符号化条件で符号化した複数の符号化データを蓄積する符号化データ蓄積手段と、該符号化データ蓄積手段に蓄積された複数の符号化データに関する関連情報をコンテンツ毎に蓄積する関連情報蓄積手段とを備えた画像記録装置と有線又は無線を介して接続される画像再生装置であって、
該画像再生装置は、前記関連情報蓄積手段からコンテンツ毎の関連情報を取得する再生制御手段を備え、
該再生制御手段は、前記関連情報蓄積手段から取得した関連情報に基づいて選択されたコンテンツの符号化データを前記符号化データ蓄積手段から取得し、該取得した符号化データを再生、あるいは、ネットワークに送出することを特徴とする画像再生装置。
【請求項８】
コンテンツを複数の符号化条件で符号化した複数の符号化データを蓄積する符号化データ蓄積手段と、該符号化データ蓄積手段に蓄積された複数の符号化データをコンテンツ毎に管理するためのコンテンツリストとを備えた画像記録装置と有線又は無線を介して接続される画像再生装置であって、
該画像再生装置は、前記画像記録装置から前記コンテンツリストを取得する再生制御手段と、該取得したコンテンツリストに基づいて、コンテンツ毎に複数の符号化データに関する関連情報を蓄積する関連情報蓄積手段とを備え、
前記再生制御手段は、前記関連情報蓄積手段に蓄積された関連情報に基づいて選択されたコンテンツの符号化データを前記符号化データ蓄積手段から取得し、該取得した符号化データを再生、あるいは、ネットワークに送出することを特徴とする画像再生装置。
【請求項９】
請求項７又は８に記載の画像送信装置において、前記再生制御手段は、前記関連情報蓄積手段に蓄積された関連情報をコンテンツ毎にユーザに提示し、該提示したコンテンツ毎の関連情報に基づいて、前記コンテンツの符号化データをユーザに選択させることを特徴とする画像処理装置。
【請求項１０】
請求項７〜９のいずれか１項に記載の画像再生装置において、前記関連情報は、前記複数の符号化データに共通の再生停止位置情報を含むことを特徴とする画像再生装置。
【請求項１１】
請求項７に記載の画像再生装置において、該画像再生装置で再生中の符号化データの再生をユーザが停止した際に、ユーザが再生停止させたときの再生停止位置情報を前記画像記録装置に送信し、該画像記録装置に対して、前記関連情報蓄積手段に前記符号化データの再生停止位置情報が蓄積されていない場合、ユーザが再生停止させたときの再生停止位置情報を前記関連情報蓄積手段に蓄積するように要求し、また、前記関連情報蓄積手段に前記符号化データの再生停止位置情報が蓄積されている場合、ユーザが再生停止させたときの再生停止位置情報により、前記関連情報蓄積手段に蓄積されている再生停止位置情報を更新するように要求することを特徴とする画像再生装置。
【請求項１２】
請求項８に記載の画像再生装置において、該画像再生装置で再生中の符号化データの再生をユーザが停止した際に、前記関連情報蓄積手段に前記符号化データの再生停止位置情報が蓄積されていない場合、ユーザが再生停止させたときの再生停止位置情報を前記関連情報蓄積手段に蓄積し、また、前記関連情報蓄積手段に前記符号化データの再生停止位置情報が蓄積されている場合、ユーザが再生停止させたときの再生停止位置情報により、前記関連情報蓄積手段に蓄積されている再生停止位置情報を更新することを特徴とする画像再生装置。
【請求項１３】
請求項１０〜１２のいずれか１項に記載の画像再生装置において、前記選択された符号化データに対応する再生停止位置情報が前記関連情報蓄積手段に蓄積されている場合、前記再生制御手段は、前記符号化データ蓄積手段から符号化データを取得すると共に、前記関連情報蓄積手段から前記符号化データの再生停止位置情報を取得することを特徴とする画像再生装置。
【請求項１４】
コンテンツを複数の符号化条件で符号化した複数の符号化データに関する関連情報に基づいて選択されたコンテンツの符号化データを再生、あるいは、ネットワークに送出する画像再生装置と有線又は無線を介して接続される画像記録装置であって、
該画像記録装置は、コンテンツを複数の符号化条件で符号化した複数の符号化データを蓄積する符号化データ蓄積手段と、該符号化データ蓄積手段に蓄積された複数の符号化データに関する関連情報をコンテンツ毎に蓄積する関連情報蓄積手段とを備え、
前記画像再生装置からの要求に応じて、前記符号化データ蓄積手段に蓄積された符号化データ及び前記関連情報蓄積手段に蓄積された関連情報を前記画像再生装置に送出することを特徴とする画像記録装置。
【請求項１５】
コンテンツを複数の符号化条件で符号化した複数の符号化データに関する関連情報に基づいて選択されたコンテンツの符号化データを再生、あるいは、ネットワークに送出する画像再生装置と有線又は無線を介して接続される画像記録装置であって、
該画像記録装置は、コンテンツを複数の符号化条件で符号化した複数の符号化データを蓄積する符号化データ蓄積手段と、該符号化データ蓄積手段に蓄積された複数の符号化データに関する関連情報をコンテンツ毎に前記画像再生装置に提供するためのコンテンツリストとを備え、
前記画像再生装置からの要求に応じて、前記符号化データ蓄積手段に蓄積された符号化データ及び前記コンテンツリストを前記画像再生装置に送出することを特徴とする画像記録装置。
【請求項１６】
請求項１４又は１５に記載の画像記録装置において、前記関連情報は、前記複数の符号化データに共通の再生停止位置情報を含むことを特徴とする画像記録装置。
【請求項１７】
請求項１４に記載の画像記録装置において、前記画像再生装置で再生中の符号化データの再生をユーザが停止した際の再生停止位置情報を前記画像再生装置から受信した場合、前記関連情報蓄積手段に前記符号化データの再生停止位置情報が蓄積されていない場合、ユーザが再生停止させたときの再生停止位置情報を前記関連情報蓄積手段に蓄積し、また、前記関連情報蓄積手段に前記符号化データの再生停止位置情報が蓄積されている場合、ユーザが再生停止させたときの再生停止位置情報により、前記関連情報蓄積手段に蓄積されている再生停止位置情報を更新することを特徴とする画像記録装置。
【請求項１８】
画像記録部と画像再生部とが有線又は無線を介して接続されてなる画像処理装置による画像処理方法であって、
前記画像記録部が、コンテンツを複数の符号化条件で符号化した複数の符号化データを符号化データ蓄積手段に蓄積するステップと、該符号化データ蓄積手段に蓄積された複数の符号化データに関する関連情報をコンテンツ毎に関連情報蓄積手段に蓄積するステップとを備え、
前記画像再生部が、前記関連情報蓄積手段からコンテンツ毎の関連情報を取得する再生制御ステップを備え、
該再生制御ステップは、前記関連情報蓄積手段から取得した関連情報に基づいて選択されたコンテンツの符号化データを前記符号化データ蓄積手段から取得し、該取得した符号化データを再生、あるいは、ネットワークに送出することを特徴とする画像処理方法。
【請求項１９】
画像記録部と画像再生部とが有線又は無線を介して接続されてなる画像処理装置による画像処理方法であって、
前記画像記録部が、コンテンツを複数の符号化条件で符号化した複数の符号化データを符号化データ蓄積手段に蓄積するステップと、該符号化データ蓄積手段に蓄積された複数の符号化データをコンテンツ毎にコンテンツリストに管理するステップとを備え、
前記画像再生部が、前記画像記録部から前記コンテンツリストを取得する再生制御ステップと、該取得したコンテンツリストに基づいて、コンテンツ毎に複数の符号化データに関する関連情報を関連情報蓄積手段に蓄積するステップとを備え、
前記再生制御ステップは、前記関連情報蓄積手段に蓄積された関連情報に基づいて選択されたコンテンツの符号化データを前記符号化データ蓄積手段から取得し、該取得した符号化データを再生、あるいは、ネットワークに送出することを特徴とする画像処理方法。
【請求項２０】
コンテンツを複数の符号化条件で符号化した複数の符号化データを蓄積する符号化データ蓄積手段と、該符号化データ蓄積手段に蓄積された複数の符号化データに関する関連情報をコンテンツ毎に蓄積する関連情報蓄積手段とを備えた画像記録装置と有線又は無線を介して接続される画像再生装置による画像再生方法であって、
該画像再生装置が、前記関連情報蓄積手段からコンテンツ毎の関連情報を取得する再生制御ステップを備え、
該再生制御ステップは、前記関連情報蓄積手段から取得した関連情報に基づいて選択されたコンテンツの符号化データを前記符号化データ蓄積手段から取得し、該取得した符号化データを再生、あるいは、ネットワークに送出することを特徴とする画像再生方法。
【請求項２１】
コンテンツを複数の符号化条件で符号化した複数の符号化データを蓄積する符号化データ蓄積手段と、該符号化データ蓄積手段に蓄積された複数の符号化データをコンテンツ毎に管理するためのコンテンツリストとを備えた画像記録装置と有線又は無線を介して接続される画像再生装置による画像再生方法であって、
該画像再生装置が、前記画像記録装置から前記コンテンツリストを取得する再生制御ステップと、該取得したコンテンツリストに基づいて、コンテンツ毎に複数の符号化データに関する関連情報を関連情報蓄積手段に蓄積するステップとを備え、
前記再生制御ステップは、前記関連情報蓄積手段に蓄積された関連情報に基づいて選択されたコンテンツの符号化データを前記符号化データ蓄積手段から取得し、該取得した符号化データを再生、あるいは、ネットワークに送出することを特徴とする画像再生方法。
【請求項２２】
コンテンツを複数の符号化条件で符号化した複数の符号化データに関する関連情報に基づいて選択されたコンテンツの符号化データを再生、あるいは、ネットワークに送出する画像再生装置と有線又は無線を介して接続される画像記録装置による画像記録方法であって、
該画像記録装置が、コンテンツを複数の符号化条件で符号化した複数の符号化データを符号化データ蓄積手段に蓄積するステップと、該符号化データ蓄積手段に蓄積された複数の符号化データに関する関連情報をコンテンツ毎に関連情報蓄積手段に蓄積するステップと、前記画像再生装置からの要求に応じて、前記符号化データ蓄積手段に蓄積された符号化データ及び前記関連情報蓄積手段に蓄積された関連情報を前記画像再生装置に送出するステップとを備えたことを特徴とする画像記録方法。
【請求項２３】
コンテンツを複数の符号化条件で符号化した複数の符号化データに関する関連情報に基づいて選択されたコンテンツの符号化データを再生、あるいは、ネットワークに送出する画像再生装置と有線又は無線を介して接続される画像記録装置による画像記録方法であって、
該画像記録装置が、コンテンツを複数の符号化条件で符号化した複数の符号化データを符号化データ蓄積手段に蓄積するステップと、該符号化データ蓄積手段に蓄積された複数の符号化データに関する関連情報をコンテンツ毎にコンテンツリストに管理するステップと、前記画像再生装置からの要求に応じて、前記符号化データ蓄積手段に蓄積された符号化データ及び前記コンテンツリストを前記画像再生装置に送出するステップとを備えたことを特徴とする画像記録方法。
【手続補正２】
【補正対象書類名】明細書
【補正対象項目名】発明の名称
【補正方法】変更
【補正の内容】
【発明の名称】画像処理装置、画像再生装置、画像記録装置、画像処理方法、画像再生方法、及び画像記録方法
【手続補正３】
【補正対象書類名】明細書
【補正対象項目名】０００１
【補正方法】変更
【補正の内容】
【０００１】
本発明は、画像処理装置、画像再生装置、画像記録装置、画像処理方法、画像再生方法、及び画像記録方法に関し、より詳細には、記録装置に蓄積されたコンテンツデータを再生する装置の技術に関する。
【手続補正４】
【補正対象書類名】明細書
【補正対象項目名】００１１
【補正方法】変更
【補正の内容】
【００１１】
上記課題を解決するための第１の技術手段は、画像記録部と画像再生部とが有線又は無線を介して接続されてなる画像処理装置であって、前記画像記録部は、コンテンツを複数の符号化条件で符号化した複数の符号化データを蓄積する符号化データ蓄積手段と、該符号化データ蓄積手段に蓄積された複数の符号化データに関する関連情報をコンテンツ毎に蓄積する関連情報蓄積手段とを備え、前記画像再生部は、前記関連情報蓄積手段からコンテンツ毎の関連情報を取得する再生制御手段を備え、該再生制御手段は、前記関連情報蓄積手段から取得した関連情報に基づいて選択されたコンテンツの符号化データを前記符号化データ蓄積手段から取得し、該取得した符号化データを再生、あるいは、ネットワークに送出することを特徴としたものである。
【手続補正５】
【補正対象書類名】明細書
【補正対象項目名】００１２
【補正方法】変更
【補正の内容】
【００１２】
第２の技術手段は、画像記録部と画像再生部とが有線又は無線を介して接続されてなる画像処理装置であって、前記画像記録部は、コンテンツを複数の符号化条件で符号化した複数の符号化データを蓄積する符号化データ蓄積手段と、該符号化データ蓄積手段に蓄積された複数の符号化データをコンテンツ毎に管理するためのコンテンツリストとを備え、前記画像再生部は、前記画像記録部から前記コンテンツリストを取得する再生制御手段と、該取得したコンテンツリストに基づいて、コンテンツ毎に複数の符号化データに関する関連情報を蓄積する関連情報蓄積手段とを備え、前記再生制御手段は、前記関連情報蓄積手段に蓄積された関連情報に基づいて選択されたコンテンツの符号化データを前記符号化データ蓄積手段から取得し、該取得した符号化データを再生、あるいは、ネットワークに送出することを特徴としたものである。
【手続補正６】
【補正対象書類名】明細書
【補正対象項目名】００１３
【補正方法】変更
【補正の内容】
【００１３】
第３の技術手段は、第１又は第２の技術手段において、前記再生制御手段は、前記関連情報蓄積手段に蓄積された関連情報をコンテンツ毎にユーザに提示し、該提示したコンテンツ毎の関連情報に基づいて、前記コンテンツの符号化データをユーザに選択させることを特徴としたものである。
【手続補正７】
【補正対象書類名】明細書
【補正対象項目名】００１４
【補正方法】変更
【補正の内容】
【００１４】
第４の技術手段は、第１〜第３のいずれか１の技術手段において、前記関連情報は、前記複数の符号化データに共通の再生停止位置情報を含むことを特徴としたものである。
第５の技術手段は、第４の技術手段において、前記画像再生部で再生中の符号化データの再生をユーザが停止した際に、前記関連情報蓄積手段に前記符号化データの再生停止位置情報が蓄積されていない場合、ユーザが再生停止させたときの再生停止位置情報を前記関連情報蓄積手段に蓄積し、また、前記関連情報蓄積手段に前記符号化データの再生停止位置情報が蓄積されている場合、ユーザが再生停止させたときの再生停止位置情報により、前記関連情報蓄積手段に蓄積されている再生停止位置情報を更新することを特徴としたものである。
第６の技術手段は、第４又は第５の技術手段において、前記選択された符号化データに対応する再生停止位置情報が前記関連情報蓄積手段に蓄積されている場合、前記再生制御手段は、前記符号化データ蓄積手段から符号化データを取得すると共に、前記関連情報蓄積手段から前記符号化データの再生停止位置情報を取得することを特徴としたものである。
第７の技術手段は、コンテンツを複数の符号化条件で符号化した複数の符号化データを蓄積する符号化データ蓄積手段と、該符号化データ蓄積手段に蓄積された複数の符号化データに関する関連情報をコンテンツ毎に蓄積する関連情報蓄積手段とを備えた画像記録装置と有線又は無線を介して接続される画像再生装置であって、該画像再生装置は、前記関連情報蓄積手段からコンテンツ毎の関連情報を取得する再生制御手段を備え、該再生制御手段は、前記関連情報蓄積手段から取得した関連情報に基づいて選択されたコンテンツの符号化データを前記符号化データ蓄積手段から取得し、該取得した符号化データを再生、あるいは、ネットワークに送出することを特徴としたものである。
第８の技術手段は、コンテンツを複数の符号化条件で符号化した複数の符号化データを蓄積する符号化データ蓄積手段と、該符号化データ蓄積手段に蓄積された複数の符号化データをコンテンツ毎に管理するためのコンテンツリストとを備えた画像記録装置と有線又は無線を介して接続される画像再生装置であって、該画像再生装置は、前記画像記録装置から前記コンテンツリストを取得する再生制御手段と、該取得したコンテンツリストに基づいて、コンテンツ毎に複数の符号化データに関する関連情報を蓄積する関連情報蓄積手段とを備え、前記再生制御手段は、前記関連情報蓄積手段に蓄積された関連情報に基づいて選択されたコンテンツの符号化データを前記符号化データ蓄積手段から取得し、該取得した符号化データを再生、あるいは、ネットワークに送出することを特徴としたものである。
第９の技術手段は、第７又は第８の技術手段において、前記再生制御手段は、前記関連情報蓄積手段に蓄積された関連情報をコンテンツ毎にユーザに提示し、該提示したコンテンツ毎の関連情報に基づいて、前記コンテンツの符号化データをユーザに選択させることを特徴としたものである。
第１０の技術手段は、第７〜第９のいずれか１の技術手段において、前記関連情報は、前記複数の符号化データに共通の再生停止位置情報を含むことを特徴としたものである。
第１１の技術手段は、第７の技術手段において、該画像再生装置で再生中の符号化データの再生をユーザが停止した際に、ユーザが再生停止させたときの再生停止位置情報を前記画像記録装置に送信し、該画像記録装置に対して、前記関連情報蓄積手段に前記符号化データの再生停止位置情報が蓄積されていない場合、ユーザが再生停止させたときの再生停止位置情報を前記関連情報蓄積手段に蓄積するように要求し、また、前記関連情報蓄積手段に前記符号化データの再生停止位置情報が蓄積されている場合、ユーザが再生停止させたときの再生停止位置情報により、前記関連情報蓄積手段に蓄積されている再生停止位置情報を更新するように要求することを特徴としたものである。
第１２の技術手段は、第８の技術手段において、該画像再生装置で再生中の符号化データの再生をユーザが停止した際に、前記関連情報蓄積手段に前記符号化データの再生停止位置情報が蓄積されていない場合、ユーザが再生停止させたときの再生停止位置情報を前記関連情報蓄積手段に蓄積し、また、前記関連情報蓄積手段に前記符号化データの再生停止位置情報が蓄積されている場合、ユーザが再生停止させたときの再生停止位置情報により、前記関連情報蓄積手段に蓄積されている再生停止位置情報を更新することを特徴としたものである。
第１３の技術手段は、第１０〜第１２のいずれか１の技術手段において、前記選択された符号化データに対応する再生停止位置情報が前記関連情報蓄積手段に蓄積されている場合、前記再生制御手段は、前記符号化データ蓄積手段から符号化データを取得すると共に、前記関連情報蓄積手段から前記符号化データの再生停止位置情報を取得することを特徴としたものである。
第１４の技術手段は、コンテンツを複数の符号化条件で符号化した複数の符号化データに関する関連情報に基づいて選択されたコンテンツの符号化データを再生、あるいは、ネットワークに送出する画像再生装置と有線又は無線を介して接続される画像記録装置であって、該画像記録装置は、コンテンツを複数の符号化条件で符号化した複数の符号化データを蓄積する符号化データ蓄積手段と、該符号化データ蓄積手段に蓄積された複数の符号化データに関する関連情報をコンテンツ毎に蓄積する関連情報蓄積手段とを備え、前記画像再生装置からの要求に応じて、前記符号化データ蓄積手段に蓄積された符号化データ及び前記関連情報蓄積手段に蓄積された関連情報を前記画像再生装置に送出することを特徴としたものである。
第１５の技術手段は、コンテンツを複数の符号化条件で符号化した複数の符号化データに関する関連情報に基づいて選択されたコンテンツの符号化データを再生、あるいは、ネットワークに送出する画像再生装置と有線又は無線を介して接続される画像記録装置であって、該画像記録装置は、コンテンツを複数の符号化条件で符号化した複数の符号化データを蓄積する符号化データ蓄積手段と、該符号化データ蓄積手段に蓄積された複数の符号化データに関する関連情報をコンテンツ毎に前記画像再生装置に提供するためのコンテンツリストとを備え、前記画像再生装置からの要求に応じて、前記符号化データ蓄積手段に蓄積された符号化データ及び前記コンテンツリストを前記画像再生装置に送出することを特徴としたものである。
第１６の技術手段は、第１４又は第１５の技術手段において、前記関連情報は、前記複数の符号化データに共通の再生停止位置情報を含むことを特徴としたものである。
第１７の技術手段は、第１４の技術手段において、前記画像再生装置で再生中の符号化データの再生をユーザが停止した際の再生停止位置情報を前記画像再生装置から受信した場合、前記関連情報蓄積手段に前記符号化データの再生停止位置情報が蓄積されていない場合、ユーザが再生停止させたときの再生停止位置情報を前記関連情報蓄積手段に蓄積し、また、前記関連情報蓄積手段に前記符号化データの再生停止位置情報が蓄積されている場合、ユーザが再生停止させたときの再生停止位置情報により、前記関連情報蓄積手段に蓄積されている再生停止位置情報を更新することを特徴としたものである。
第１８の技術手段は、画像記録部と画像再生部とが有線又は無線を介して接続されてなる画像処理装置による画像処理方法であって、前記画像記録部が、コンテンツを複数の符号化条件で符号化した複数の符号化データを符号化データ蓄積手段に蓄積するステップと、該符号化データ蓄積手段に蓄積された複数の符号化データに関する関連情報をコンテンツ毎に関連情報蓄積手段に蓄積するステップとを備え、前記画像再生部が、前記関連情報蓄積手段からコンテンツ毎の関連情報を取得する再生制御ステップを備え、該再生制御ステップは、前記関連情報蓄積手段から取得した関連情報に基づいて選択されたコンテンツの符号化データを前記符号化データ蓄積手段から取得し、該取得した符号化データを再生、あるいは、ネットワークに送出することを特徴としたものである。
第１９の技術手段は、画像記録部と画像再生部とが有線又は無線を介して接続されてなる画像処理装置による画像処理方法であって、前記画像記録部が、コンテンツを複数の符号化条件で符号化した複数の符号化データを符号化データ蓄積手段に蓄積するステップと、該符号化データ蓄積手段に蓄積された複数の符号化データをコンテンツ毎にコンテンツリストに管理するステップとを備え、前記画像再生部が、前記画像記録部から前記コンテンツリストを取得する再生制御ステップと、該取得したコンテンツリストに基づいて、コンテンツ毎に複数の符号化データに関する関連情報を関連情報蓄積手段に蓄積するステップとを備え、前記再生制御ステップは、前記関連情報蓄積手段に蓄積された関連情報に基づいて選択されたコンテンツの符号化データを前記符号化データ蓄積手段から取得し、該取得した符号化データを再生、あるいは、ネットワークに送出することを特徴としたものである。
第２０の技術手段は、コンテンツを複数の符号化条件で符号化した複数の符号化データを蓄積する符号化データ蓄積手段と、該符号化データ蓄積手段に蓄積された複数の符号化データに関する関連情報をコンテンツ毎に蓄積する関連情報蓄積手段とを備えた画像記録装置と有線又は無線を介して接続される画像再生装置による画像再生方法であって、該画像再生装置が、前記関連情報蓄積手段からコンテンツ毎の関連情報を取得する再生制御ステップを備え、該再生制御ステップは、前記関連情報蓄積手段から取得した関連情報に基づいて選択されたコンテンツの符号化データを前記符号化データ蓄積手段から取得し、該取得した符号化データを再生、あるいは、ネットワークに送出することを特徴としたものである。
第２１の技術手段は、コンテンツを複数の符号化条件で符号化した複数の符号化データを蓄積する符号化データ蓄積手段と、該符号化データ蓄積手段に蓄積された複数の符号化データをコンテンツ毎に管理するためのコンテンツリストとを備えた画像記録装置と有線又は無線を介して接続される画像再生装置による画像再生方法であって、該画像再生装置が、前記画像記録装置から前記コンテンツリストを取得する再生制御ステップと、該取得したコンテンツリストに基づいて、コンテンツ毎に複数の符号化データに関する関連情報を関連情報蓄積手段に蓄積するステップとを備え、前記再生制御ステップは、前記関連情報蓄積手段に蓄積された関連情報に基づいて選択されたコンテンツの符号化データを前記符号化データ蓄積手段から取得し、該取得した符号化データを再生、あるいは、ネットワークに送出することを特徴としたものである。
第２２の技術手段は、コンテンツを複数の符号化条件で符号化した複数の符号化データに関する関連情報に基づいて選択されたコンテンツの符号化データを再生、あるいは、ネットワークに送出する画像再生装置と有線又は無線を介して接続される画像記録装置による画像記録方法であって、該画像記録装置が、コンテンツを複数の符号化条件で符号化した複数の符号化データを符号化データ蓄積手段に蓄積するステップと、該符号化データ蓄積手段に蓄積された複数の符号化データに関する関連情報をコンテンツ毎に関連情報蓄積手段に蓄積するステップと、前記画像再生装置からの要求に応じて、前記符号化データ蓄積手段に蓄積された符号化データ及び前記関連情報蓄積手段に蓄積された関連情報を前記画像再生装置に送出するステップとを備えたことを特徴としたものである。
第２３の技術手段は、コンテンツを複数の符号化条件で符号化した複数の符号化データに関する関連情報に基づいて選択されたコンテンツの符号化データを再生、あるいは、ネットワークに送出する画像再生装置と有線又は無線を介して接続される画像記録装置による画像記録方法であって、該画像記録装置が、コンテンツを複数の符号化条件で符号化した複数の符号化データを符号化データ蓄積手段に蓄積するステップと、該符号化データ蓄積手段に蓄積された複数の符号化データに関する関連情報をコンテンツ毎にコンテンツリストに管理するステップと、前記画像再生装置からの要求に応じて、前記符号化データ蓄積手段に蓄積された符号化データ及び前記コンテンツリストを前記画像再生装置に送出するステップとを備えたことを特徴としたものである。